【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
色域スケーラビリティのための３次元（３Ｄ）ルックアップテーブルの３つの色成分の各々に関するオクタントの数を決定することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の色値の線形カラーマッピング関数に関するカラーマッピング係数を復号することと、
前記色成分の各々に関するオクタントの前記数と、前記オクタントの各々に関する前記カラーマッピング係数に関連する色値とに基づいて、前記３Ｄルックアップテーブルを生成することと、
前記ビデオデータのビデオブロックの残差データを復号することと、
前記復号された残差データと前記３Ｄルックアップテーブルを使用して生成された少なくとも１つの参照ピクチャとに基づいて、前記ビデオデータの前記ビデオブロックを再構成することと
を備える、方法。
【請求項２】
前記カラーマッピング係数が、前記３Ｄルックアップテーブルの入力ビット深度または出力ビット深度のうちの少なくとも１つに基づくビット深度を使用して浮動小数点値から変換される整数値を備える、請求項１に記載の方法。
【請求項３】
前記カラーマッピング係数を復号することが、前記色成分の各々に関する前記オクタントのうちの第１のオクタントに関して、前記カラーマッピング係数の少なくとも１つの係数の予測値に基づいて、前記カラーマッピング係数の前記少なくとも１つの係数を復号することを備える、請求項１に記載の方法。
【請求項４】
前記カラーマッピング係数の前記少なくとも１つの係数の前記予測値が事前定義された固定値である、請求項３に記載の方法。
【請求項５】
前記カラーマッピング係数の前記少なくとも１つの係数が、前記ビデオデータの前記下位レイヤおよび前記ビデオデータの前記上位レイヤの同じ色成分間の前記線形カラーマッピング関数に関する重みファクタを定義する重要係数を備える、請求項３に記載の方法。
【請求項６】
前記カラーマッピング係数を復号することが、前記色成分の各々に関する前記オクタントのうちの前記第１のオクタントに関して、事前定義された非ゼロ値に等しい予測値に基づいて、前記重要係数を復号することと、ゼロに等しい予測値に基づいて、前記カラーマッピング係数の残りの係数を復号することとをさらに備える、請求項５に記載の方法。
【請求項７】
前記カラーマッピング係数を復号することが、前記色成分の各々に関する前記オクタントの各残りのオクタントに関して、少なくとも１つの前に復号されたオクタントからの予測値に基づいて、前記カラーマッピング係数を復号することをさらに備える、請求項３に記載の方法。
【請求項８】
前記カラーマッピング係数の残差値に関する量子化値を決定することをさらに備え、前記カラーマッピング係数を復号することが、
前記色成分の各々に関する前記オクタントの各々に関して、前記カラーマッピング係数の残差値を復号することと、
前記決定された量子化値に基づいて、前記カラーマッピング係数の前記残差値を逆量子化することと、
前記復号された残差値と、前記カラーマッピング係数の予測値とに基づいて、前記カラーマッピング係数を再構成することと
をさらに備える、請求項１に記載の方法。
【請求項９】
前記カラーマッピング係数の値を、事前定義された固定値、または前記３Ｄルックアップテーブルの入力ビット深度もしくは出力ビット深度のうちの少なくとも１つに応じた値のうちの１つに基づく範囲に制限することをさらに備える、請求項１に記載の方法。
【請求項１０】
前記色成分の各々に関するオクタントの前記数を決定することが、前記３Ｄルックアップテーブルの前記色成分のうちの少なくとも１つに関するオクタントの前記数を示す少なくとも１つのシンタックス要素を復号することを備える、請求項１に記載の方法。
【請求項１１】
前記ビデオデータの前記下位レイヤに関する前記第１の色域内の参照ピクチャの色データを前記ビデオデータの前記上位レイヤに関する前記第２の色域に変換するために、前記３Ｄルックアップテーブルを使用して色予測を実行することと、
前記変換された色データに基づいて、前記ビデオデータの前記上位レイヤに関する少なくとも１つのレイヤ間参照ピクチャを生成することと
をさらに備え、
前記ビデオデータの前記ビデオブロックを再構成することが、前記復号された残差データと前記３Ｄルックアップテーブルを使用して生成された前記少なくとも１つのレイヤ間参照ピクチャとに基づいて、前記ビデオデータの前記上位レイヤのピクチャ内のビデオブロックを再構成すること
を備える、請求項１に記載の方法。
【請求項１２】
ビデオデータを符号化する方法であって、
３つの色成分の各々に関するオクタントの数と、前記オクタントの各々に関する色値とに基づいて、色域スケーラビリティのための３次元（３Ｄ）ルックアップテーブルを生成することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の前記色値の線形カラーマッピング関数に関するカラーマッピング係数を符号化することと、
前記３Ｄルックアップテーブルを使用して生成された少なくとも１つの参照ピクチャに基づいて、前記ビデオデータのビデオブロックを予測することと、
ビットストリーム内の前記ビデオブロックの残差データを符号化することと
を備える、方法。
【請求項１３】
ビデオデータを記憶するように構成されたメモリと、
前記メモリと通信し、
前記ビデオデータの色域スケーラビリティのための３次元（３Ｄ）ルックアップテーブルの３つの色成分の各々に関するオクタントの数を決定することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の色値の線形カラーマッピング関数に関するカラーマッピング係数を復号することと、
前記色成分の各々に関するオクタントの前記数と、前記オクタントの各々に関する前記カラーマッピング係数に関連する色値とに基づいて、前記３Ｄルックアップテーブルを生成することと、
前記ビデオデータのビデオブロックの残差データを復号することと、
前記復号された残差データと前記３Ｄルックアップテーブルを使用して生成された少なくとも１つの参照ピクチャとに基づいて、前記ビデオデータの前記ビデオブロックを再構成することとを行うように構成された、１つまたは複数のプロセッサと
を備える、ビデオ復号デバイス。
【請求項１４】
ビデオデータを記憶するように構成されたメモリと、
前記メモリと通信し、
３つの色成分の各々に関するオクタントの数と、前記オクタントの各々に関する色値とに基づいて、前記ビデオデータの色域スケーラビリティのための３次元（３Ｄ）ルックアップテーブルを生成することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の前記色値の線形カラーマッピング関数に関するカラーマッピング係数を符号化することと、
前記３Ｄルックアップテーブルを使用して生成された少なくとも１つの参照ピクチャに基づいて、前記ビデオデータのビデオブロックを予測することと、
ビットストリーム内の前記ビデオブロックの残差データを符号化することとを行うように構成された、１つまたは複数のプロセッサと
を備える、ビデオ符号化デバイス。
【請求項１５】
実行されるとき、１つまたは複数のプロセッサに、請求項１から１２に記載の方法を実行することを行わせる、ビデオデータを復号するための命令を記憶したコンピュータ可読記憶媒体。
【手続補正２】
【補正対象書類名】明細書
【補正対象項目名】０２８６
【補正方法】変更
【補正の内容】
【０２８６】
[0239]  様々な例が、説明された。これらおよび他の例は、以下の特許請求の範囲に含まれる。
以下に本願の出願当初の特許請求の範囲に記載された発明を付記する。
［Ｃ１］
ビデオデータを復号する方法であって、
色域スケーラビリティのための３次元（３Ｄ）ルックアップテーブルの３つの色成分の各々に関するオクタントの数を決定することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の色値の線形カラーマッピング関数に関するカラーマッピング係数を復号することと、
前記色成分の各々に関するオクタントの前記数と、前記オクタントの各々に関する前記カラーマッピング係数に関連する色値とに基づいて、前記３Ｄルックアップテーブルを生成することと、
前記ビデオデータのビデオブロックの残差データを復号することと、
前記復号された残差データと前記３Ｄルックアップテーブルを使用して生成された少なくとも１つの参照ピクチャとに基づいて、前記ビデオデータの前記ビデオブロックを再構成することと
を備える、方法。
［Ｃ２］
前記カラーマッピング係数が、前記３Ｄルックアップテーブルの入力ビット深度または出力ビット深度のうちの少なくとも１つに基づくビット深度を使用して浮動小数点値を表す整数値を備える、Ｃ１に記載の方法。
［Ｃ３］
前記カラーマッピング係数を復号することが、前記色成分の各々に関する前記オクタントのうちの第１のオクタントに関して、前記カラーマッピング係数の少なくとも１つの係数の予測値に基づいて、前記カラーマッピング係数の前記少なくとも１つの係数を復号することを備える、Ｃ１に記載の方法。
［Ｃ４］
前記カラーマッピング係数の前記少なくとも１つの係数の前記予測値が事前定義された固定値である、Ｃ３に記載の方法。
［Ｃ５］
前記カラーマッピング係数の前記少なくとも１つの係数が、前記ビデオデータの前記下位レイヤおよび前記ビデオデータの前記上位レイヤの同じ色成分間の前記線形カラーマッピング関数に関する重みファクタを定義する重要係数を備える、Ｃ３に記載の方法。
［Ｃ６］
前記カラーマッピング係数を復号することが、前記色成分の各々に関する前記オクタントのうちの前記第１のオクタントに関して、事前定義された非ゼロ値に等しい予測値に基づいて、前記重要係数を復号することと、ゼロに等しい予測値に基づいて、前記カラーマッピング係数の残りの係数を復号することとをさらに備える、Ｃ５に記載の方法。
［Ｃ７］
前記カラーマッピング係数を復号することが、前記色成分の各々に関する前記オクタントの各残りのオクタントに関して、少なくとも１つの前に復号されたオクタントからの予測値に基づいて、前記カラーマッピング係数を復号することをさらに備える、Ｃ３に記載の方法。
［Ｃ８］
前記カラーマッピング係数の残差値に関する量子化値を決定することをさらに備え、前記カラーマッピング係数を復号することが、
前記色成分の各々に関する前記オクタントの各々に関して、前記カラーマッピング係数の残差値を復号することと、
前記決定された量子化値に基づいて、前記カラーマッピング係数の前記残差値を逆量子化することと、
前記復号された残差値と、前記カラーマッピング係数の予測値とに基づいて、前記カラーマッピング係数を再構成することと
をさらに備える、Ｃ１に記載の方法。
［Ｃ９］
前記カラーマッピング係数の残差値に関する前記量子化値を決定することが、前記量子化値を示す少なくとも１つのシンタックス要素を復号することを備える、Ｃ８に記載の方法。
［Ｃ１０］
前記カラーマッピング係数の値を、事前定義された固定値、または前記３Ｄルックアップテーブルの入力ビット深度もしくは出力ビット深度のうちの少なくとも１つに応じた値のうちの１つに基づく範囲に制限することをさらに備える、Ｃ１に記載の方法。
［Ｃ１１］
前記色成分の各々に関するオクタントの前記数を決定することが、前記３Ｄルックアップテーブルの前記色成分のうちの少なくとも１つに関するオクタントの前記数を示す少なくとも１つのシンタックス要素を復号することを備える、Ｃ１に記載の方法。
［Ｃ１２］
前記ビデオデータの前記下位レイヤに関する前記第１の色域内の参照ピクチャの色データを前記ビデオデータの前記上位レイヤに関する前記第２の色域に変換するために、前記３Ｄルックアップテーブルを使用して色予測を実行することと、
前記変換された色データに基づいて、前記ビデオデータの前記上位レイヤに関する少なくとも１つのレイヤ間参照ピクチャを生成することと
をさらに備え、
前記ビデオデータの前記ビデオブロックを再構成することが、前記復号された残差データと前記３Ｄルックアップテーブルを使用して生成された前記少なくとも１つのレイヤ間参照ピクチャとに基づいて、前記ビデオデータの前記上位レイヤのピクチャ内のビデオブロックを再構成すること
を備える、Ｃ１に記載の方法。
［Ｃ１３］
ビデオデータを符号化する方法であって、
３つの色成分の各々に関するオクタントの数と、前記オクタントの各々に関する色値とに基づいて、色域スケーラビリティのための３次元（３Ｄ）ルックアップテーブルを生成することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の前記色値の線形カラーマッピング関数に関するカラーマッピング係数を符号化することと、
前記３Ｄルックアップテーブルを使用して生成された少なくとも１つの参照ピクチャに基づいて、前記ビデオデータのビデオブロックを予測することと、
ビットストリーム内の前記ビデオブロックの残差データを符号化することと
を備える、方法。
［Ｃ１４］
前記カラーマッピング係数を符号化することに先立って、前記３Ｄルックアップテーブルの入力ビット深度または出力ビット深度のうちの少なくとも１つに基づくビット深度を使用して、前記カラーマッピング係数の浮動小数点値を整数値に変換することをさらに備える、Ｃ１３に記載の方法。
［Ｃ１５］
前記カラーマッピング係数を符号化することが、前記色成分の各々に関する前記オクタントのうちの第１のオクタントに関して、前記カラーマッピング係数の少なくとも１つの係数の予測値に基づいて、前記カラーマッピング係数の前記少なくとも１つの係数を符号化することを備える、Ｃ１３に記載の方法。
［Ｃ１６］
前記カラーマッピング係数の前記少なくとも１つの係数の前記予測値が事前定義された固定値である、Ｃ１５に記載の方法。
［Ｃ１７］
前記カラーマッピング係数の前記少なくとも１つの係数が、前記ビデオデータの前記下位レイヤおよび前記ビデオデータの前記上位レイヤの同じ色成分間の前記線形カラーマッピング関数に関する重みファクタを定義する重要係数を備える、Ｃ１５に記載の方法。
［Ｃ１８］
前記カラーマッピング係数を符号化することが、前記色成分の各々に関する前記オクタントのうちの前記第１のオクタントに関して、事前定義された非ゼロ値に等しい予測値に基づいて、前記重要係数を符号化することと、ゼロに等しい予測値に基づいて、前記カラーマッピング係数の残りの係数を符号化することとをさらに備える、Ｃ１７に記載の方法。
［Ｃ１９］
前記カラーマッピング係数を符号化することが、前記色成分の各々に関する前記オクタントの各残りのオクタントに関して、少なくとも１つの前に符号化されたオクタントからの予測値に基づいて、前記カラーマッピング係数を符号化することをさらに備える、Ｃ１５に記載の方法。
［Ｃ２０］
前記カラーマッピング係数の残差値に関する量子化値を決定することをさらに備え、前記カラーマッピング係数を符号化することが、
前記色成分の各々に関する前記オクタントの各々に関して、前記カラーマッピング係数の元の値と前記カラーマッピング係数の予測値とに基づいて、前記カラーマッピング係数の残差値を計算することと、
前記決定された量子化値に基づいて、前記カラーマッピング係数の前記残差値を量子化することと、
前記カラーマッピング係数の前記残差値を符号化することと
をさらに備える、Ｃ１３に記載の方法。
［Ｃ２１］
前記カラーマッピング係数の残差値に関する前記決定された量子化値を示す少なくとも１つのシンタックス要素を符号化することをさらに備える、Ｃ２０に記載の方法。
［Ｃ２２］
前記カラーマッピング係数の値を、事前定義された固定値、または前記３Ｄルックアップテーブルの入力ビット深度もしくは出力ビット深度のうちの少なくとも１つに応じた値に基づく範囲に制限することをさらに備える、Ｃ１３に記載の方法。
［Ｃ２３］
前記３Ｄルックアップテーブルの前記色成分のうちの少なくとも１つに関するオクタントの前記数を示す少なくとも１つのシンタックス要素を符号化することをさらに備える、Ｃ１３に記載の方法。
［Ｃ２４］
前記ビデオデータの前記下位レイヤに関する前記第１の色域内の参照ピクチャの色データを前記ビデオデータの前記上位レイヤに関する前記第２の色域に変換するために、前記３Ｄルックアップテーブルを使用して色予測を実行することと、
前記変換された色データに基づいて、前記ビデオデータの前記上位レイヤに関する少なくとも１つのレイヤ間参照ピクチャを生成することと
をさらに備え、
前記ビデオデータの前記ビデオブロックを予測することが、前記３Ｄルックアップテーブルを使用して生成された前記少なくとも１つのレイヤ間参照ピクチャに基づいて、前記ビデオデータの前記上位レイヤのピクチャ内のビデオブロックを予測すること
を備える、Ｃ１３に記載の方法。
［Ｃ２５］
ビデオデータを記憶するように構成されたメモリと、
前記メモリと通信し、
前記ビデオデータの色域スケーラビリティのための３次元（３Ｄ）ルックアップテーブルの３つの色成分の各々に関するオクタントの数を決定することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の色値の線形カラーマッピング関数に関するカラーマッピング係数を復号することと、
前記色成分の各々に関するオクタントの前記数と、前記オクタントの各々に関する前記カラーマッピング係数に関連する色値とに基づいて、前記３Ｄルックアップテーブルを生成することと、
前記ビデオデータのビデオブロックの残差データを復号することと、
前記復号された残差データと前記３Ｄルックアップテーブルを使用して生成された少なくとも１つの参照ピクチャとに基づいて、前記ビデオデータの前記ビデオブロックを再構成することとを行うように構成された、１つまたは複数のプロセッサと
を備える、ビデオ復号デバイス。
［Ｃ２６］
前記カラーマッピング係数が、前記３Ｄルックアップテーブルの入力ビット深度または出力ビット深度のうちの少なくとも１つに基づくビット深度を使用して浮動小数点値を表す整数値を備える、Ｃ２５に記載のデバイス。
［Ｃ２７］
前記１つまたは複数のプロセッサが、前記色成分の各々に関する前記オクタントのうちの第１のオクタントに関して、前記カラーマッピング係数の少なくとも１つの係数の予測値に基づいて、前記カラーマッピング係数の前記少なくとも１つの係数を復号するように構成される、Ｃ２５に記載のデバイス。
［Ｃ２８］
前記カラーマッピング係数の前記少なくとも１つの係数の前記予測値が事前定義された固定値である、Ｃ２７に記載のデバイス。
［Ｃ２９］
前記カラーマッピング係数の前記少なくとも１つの係数が、前記ビデオデータの前記下位レイヤおよび前記ビデオデータの前記上位レイヤの同じ色成分間の前記線形カラーマッピング関数に関する重みファクタを定義する重要係数を備える、Ｃ２７に記載のデバイス。
［Ｃ３０］
前記１つまたは複数のプロセッサが、前記色成分の各々に関する前記オクタントのうちの前記第１のオクタントに関して、事前定義された非ゼロ値に等しい予測値に基づいて、前記重要係数を復号することと、ゼロに等しい予測値に基づいて、前記カラーマッピング係数の残りの係数を復号することとを行うように構成される、Ｃ２９に記載のデバイス。
［Ｃ３１］
前記１つまたは複数のプロセッサが、前記色成分の各々に関する前記オクタントの各残りのオクタントに関して、少なくとも１つの前に復号されたオクタントからの予測値に基づいて、前記カラーマッピング係数を復号するように構成される、Ｃ２７に記載のデバイス。
［Ｃ３２］
前記１つまたは複数のプロセッサが、
前記カラーマッピング係数の残差値に関する量子化値を決定することと、
前記色成分の各々に関する前記オクタントの各々に関して、前記カラーマッピング係数の残差値を復号することと、
前記決定された量子化値に基づいて、前記カラーマッピング係数の前記残差値を逆量子化することと、
前記復号された残差値と、前記カラーマッピング係数の予測値とに基づいて、前記カラーマッピング係数を再構成することと
を行うように構成される、Ｃ２５に記載のデバイス。
［Ｃ３３］
前記カラーマッピング係数の残差値に関する前記量子化値を決定するために、前記１つまたは複数のプロセッサが、前記量子化値を示す少なくとも１つのシンタックス要素を復号するように構成される、Ｃ３２に記載のデバイス。
［Ｃ３４］
前記１つまたは複数のプロセッサが、前記カラーマッピング係数の値を、事前定義された固定値、または前記３Ｄルックアップテーブルの入力ビット深度もしくは出力ビット深度のうちの少なくとも１つに応じた値のうちの１つに基づく範囲に制限するように構成される、Ｃ２５に記載のデバイス。
［Ｃ３５］
前記色成分の各々に関するオクタントの前記数を決定するために、前記１つまたは複数のプロセッサが、前記３Ｄルックアップテーブルの前記色成分のうちの少なくとも１つに関するオクタントの前記数を示す少なくとも１つのシンタックス要素を復号するように構成される、Ｃ２５に記載のデバイス。
［Ｃ３６］
前記１つまたは複数のプロセッサが、
前記ビデオデータの前記下位レイヤに関する前記第１の色域内の参照ピクチャの色データを前記ビデオデータの前記上位レイヤに関する前記第２の色域に変換するために、前記３Ｄルックアップテーブルを使用して色予測を実行することと、
前記変換された色データに基づいて、前記ビデオデータの前記上位レイヤに関する少なくとも１つのレイヤ間参照ピクチャを生成することと、
前記復号された残差データと前記３Ｄルックアップテーブルを使用して生成された前記少なくとも１つのレイヤ間参照ピクチャとに基づいて、前記ビデオデータの前記上位レイヤのピクチャ内のビデオブロックを再構成することと
を行うように構成される、Ｃ２５に記載のデバイス。
［Ｃ３７］
ビデオデータを記憶するように構成されたメモリと、
前記メモリと通信し、
３つの色成分の各々に関するオクタントの数と、前記オクタントの各々に関する色値とに基づいて、前記ビデオデータの色域スケーラビリティのための３次元（３Ｄ）ルックアップテーブルを生成することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の前記色値の線形カラーマッピング関数に関するカラーマッピング係数を符号化することと、
前記３Ｄルックアップテーブルを使用して生成された少なくとも１つの参照ピクチャに基づいて、前記ビデオデータのビデオブロックを予測することと、
ビットストリーム内の前記ビデオブロックの残差データを符号化することとを行うように構成された、１つまたは複数のプロセッサと
を備える、ビデオ符号化デバイス。
［Ｃ３８］
前記１つまたは複数のプロセッサが、前記カラーマッピング係数を符号化することに先立って、前記３Ｄルックアップテーブルの入力ビット深度または出力ビット深度のうちの少なくとも１つに基づくビット深度を使用して、前記カラーマッピング係数の浮動小数点値を整数値に変換するように構成される、Ｃ３７に記載のデバイス。
［Ｃ３９］
前記１つまたは複数のプロセッサが、前記色成分の各々に関する前記オクタントのうちの第１のオクタントに関して、前記カラーマッピング係数の少なくとも１つの係数の予測値に基づいて、前記カラーマッピング係数の前記少なくとも１つの係数を符号化するように構成される、Ｃ３７に記載のデバイス。
［Ｃ４０］
前記カラーマッピング係数の前記少なくとも１つの係数の前記予測値が事前定義された固定値である、Ｃ３９に記載のデバイス。
［Ｃ４１］
前記カラーマッピング係数の前記少なくとも１つの係数が、前記ビデオデータの前記下位レイヤおよび前記ビデオデータの前記上位レイヤの同じ色成分間の前記線形カラーマッピング関数に関する重みファクタを定義する重要係数を備える、Ｃ３９に記載のデバイス。
［Ｃ４２］
前記１つまたは複数のプロセッサが、前記色成分の各々に関する前記オクタントのうちの前記第１のオクタントに関して、事前定義された非ゼロ値に等しい予測値に基づいて、前記重要係数を符号化することと、ゼロに等しい予測値に基づいて、前記カラーマッピング係数の残りの係数を符号化することとを行うように構成される、Ｃ４１に記載のデバイス。
［Ｃ４３］
前記１つまたは複数のプロセッサが、前記色成分の各々に関する前記オクタントの各残りのオクタントに関して、少なくとも１つの前に符号化されたオクタントからの予測値に基づいて、前記カラーマッピング係数を符号化するように構成される、Ｃ３９に記載のデバイス。
［Ｃ４４］
前記１つまたは複数のプロセッサが、
前記カラーマッピング係数の残差値に関する量子化値を決定することと、
前記色成分の各々に関する前記オクタントの各々に関して、前記カラーマッピング係数の元の値と前記カラーマッピング係数の予測値とに基づいて、前記カラーマッピング係数の残差値を計算することと、
前記決定された量子化値に基づいて、前記カラーマッピング係数の前記残差値を量子化することと、
前記カラーマッピング係数の前記残差値を符号化することと
を行うように構成される、Ｃ３７に記載のデバイス。
［Ｃ４５］
前記１つまたは複数のプロセッサが、前記決定された量子化値を示す少なくとも１つのシンタックス要素を符号化するように構成される、Ｃ４４に記載のデバイス。
［Ｃ４６］
前記１つまたは複数のプロセッサが、前記カラーマッピング係数の値を、事前定義された固定値、または前記３Ｄルックアップテーブルの入力ビット深度もしくは出力ビット深度のうちの少なくとも１つに応じた値に基づく範囲に制限するように構成される、Ｃ３７に記載のデバイス。
［Ｃ４７］
前記１つまたは複数のプロセッサが、前記３Ｄルックアップテーブルの前記色成分のうちの少なくとも１つに関するオクタントの前記数を示す少なくとも１つのシンタックス要素を符号化するように構成される、Ｃ３７に記載のデバイス。
［Ｃ４８］
前記１つまたは複数のプロセッサが、
前記ビデオデータの前記下位レイヤに関する前記第１の色域内の参照ピクチャの色データを前記ビデオデータの前記上位レイヤに関する前記第２の色域に変換するために、前記３Ｄルックアップテーブルを使用して色予測を実行することと、
前記変換された色データに基づいて、前記ビデオデータの前記上位レイヤに関する少なくとも１つのレイヤ間参照ピクチャを生成することと、
前記３Ｄルックアップテーブルを使用して生成された前記少なくとも１つのレイヤ間参照ピクチャに基づいて、前記ビデオデータの前記上位レイヤのピクチャ内のビデオブロックを予測することと
を行うように構成される、Ｃ３７に記載のデバイス。
［Ｃ４９］
ビデオ復号デバイスであって、
色域スケーラビリティのための３次元（３Ｄ）ルックアップテーブルの３つの色成分の各々に関するオクタントの数を決定するための手段と、
前記色成分の各々に関する前記オクタントの各々に関して、ビデオデータの下位レイヤに関する第１の色域内の色データを前記ビデオデータの上位レイヤに関する第２の色域に変換するために使用される前記３Ｄルックアップテーブル内の色値の線形カラーマッピング関数に関するカラーマッピング係数を復号するための手段と、
前記色成分の各々に関するオクタントの前記数と、前記オクタントの各々に関する前記カラーマッピング係数に関連する色値とに基づいて、前記３Ｄルックアップテーブルを生成するための手段と、
前記ビデオデータのビデオブロックの残差データを復号するための手段と、
前記復号された残差データと前記３Ｄルックアップテーブルを使用して生成された少なくとも１つの参照ピクチャとに基づいて、前記ビデオデータの前記ビデオブロックを再構成するための手段と
を備える、ビデオ復号デバイス。
［Ｃ５０］
ビデオデータを復号するための命令を記憶したコンピュータ可読記憶媒体であって、
実行されるとき、１つまたは複数のプロセッサに、
色域スケーラビリティのための３次元（３Ｄ）ルックアップテーブルの３つの色成分の各々に関するオクタントの数を決定することと、
前記色成分の各々に関する前記オクタントの各々に関して、前記ビデオデータの下位レイヤに関する第１の色域内の色データを前記ビデオデータの上位レイヤに関する第２の色域に変換するために使用される前記３Ｄルックアップテーブル内の色値の線形カラーマッピング関数に関するカラーマッピング係数を復号することと、
前記色成分の各々に関するオクタントの前記数と、前記オクタントの各々に関する前記カラーマッピング係数に関連する色値とに基づいて、前記３Ｄルックアップテーブルを生成することと、
前記ビデオデータのビデオブロックの残差データを復号することと、
前記復号された残差データと前記３Ｄルックアップテーブルを使用して生成された少なくとも１つの参照ピクチャとに基づいて、前記ビデオデータの前記ビデオブロックを再構成することと
を行わせる、ビデオデータを復号するための命令を記憶したコンピュータ可読記憶媒体。